(57)【要約】  本発明は、薬剤が充填され、穴あけ可能な膜で密封されている口部分を有する容器のための閉鎖キャップに関連しており、この容器は、穴をあけられることが可能な膜によって密封されている開口部分を有する。閉鎖キャップは、キャップ状のクロージャー本体（１）及び飲用開口部（４ａ）を持つ飲用ネック（４）を有し、飲用ネック（４）は、飲用ネックが閉鎖キャップに支えられる第１の位置と、飲用ネックが閉鎖キャップから引き出される第２の位置との間で枢動可能である。さらに、閉鎖キャップは、容器の開口部分を密封する膜に穴をあける手段（２０，２２）を有し、手段（２０，２２）は、飲用ネック（４）が枢動されると、膜に穴をあけられるように飲用ネックと相互に作用するので、飲用ネックの開口部（４ａ）と容器内部との間につながりが作られる。閉鎖キャップは、そのクロージャー本体が、飲用ネック（４）の開口部（４ａ）に加えて、飲用の際に容器に空気を通すための開口部（２０ａ，２４）を有する、ことを特徴とする。【選択図】  図５
2009545493.tif 000002
【特許請求の範囲】
【請求項１】
薬剤が充填され、穴あけ可能な膜で密封されている口部分を有する容器のための閉鎖キャップであって、
カバー部分（２）及びスカート部分（３）を有する、閉鎖キャップ状のクロージャー本体（１）と、
飲用ノズル（４）であって、飲み口となる開口部（４ａ）を有し、前記飲用ノズルが前記クロージャー本体に支えられている第１の位置と、前記飲用ノズルが前記クロージャー本体から離れている第２の位置との間で枢動可能な飲用ノズル（４）と、
前記飲用ノズル（４）が枢動されると前記膜に穴があけられるように前記飲用ノズルと協働する前記膜に穴をあける手段（２０，２２）であって、それゆえ、前記飲用ノズル（４）にある前記開口部（４ａ）と前記容器内部との間につながりをつくる、手段（２０，２２）と、を具備し、
前記クロージャー本体（１）は、飲用の際に前記容器に空気を供給するための開口部（２０ａ，２４）と、さらに、前記飲用ノズルが枢動されているとき、前記膜は、前記空気供給のための開口部（２０ａ，２４）と前記容器内部との間につながりを作るために穴をあけられるように、前記飲用ノズル（４）と協働する前記膜に穴をあける前記手段（２０，２２）と、を有する、ことを特徴とする閉鎖キャップ。
【請求項２】
前記膜に穴をあける前記手段（２０）は、開口部が前記空気供給のための開口部（２０ａ）である管状胴体の形をとっており、前記管状胴体は、前記飲用ノズルが枢動されると前記膜が前記管状胴体によって穴をあけられるような前記飲用ノズル（４）と枢動可能な前記クロージャー本体（１）に設置されているので、前記容器内部と、前記飲用開口部（４ａ）及び前記空気供給のための開口部（２０ａ）との間につながりが作られる、ことを特徴とする請求項１に記載の閉鎖キャップ。
【請求項３】
前記膜に穴をあける手段は、前記空気供給のための開口部がある弱化ゾーンを介して、貫通スパイキ（２２）を有しており、この貫通スパイキ（２２）は、前記飲用ノズル（４）を枢動することによって前記貫通スパイキが前記膜に押し込まれるように前記クロージャー本体（１）の前記カバー部分（２）に設置されており、前記容器内部と前記空気供給のための開口部（２４）との間のつながりを作る、ことを特徴とする請求項１に記載の閉鎖キャップ。
【請求項４】
前記飲用ノズル（４）は、前記クロージャー本体（１）に一体化しているワンピース部分である、ことを特徴とする請求項１ないし３のいずれか１つに記載の閉鎖キャップ。
【請求項５】
前記クロージャー本体（１）は、前記飲用ノズルが前記第１の位置と前記第２の位置との間で枢動可能なように前記飲用ノズル（４）にある基底部分（４ｃ）の部位を弱化されている、ことを特徴とする請求項１ないし４のいずれか１つに記載の閉鎖キャップ。
【請求項６】
前記飲用ノズル（４）は、タンパーエビデンスシール（８）によって、前記クロージャー本体の前記第１の位置に固定されている、ことを特徴とする請求項１ないし５のいずれか１つに記載の閉鎖キャップ。
【請求項７】
前記タンパーエビデンスシールは、前記クロージャー本体（１）をプルオフでき、前記飲用ノズル（４）から突出する突起（１１）に係合しているタブ（８）である、ことを特徴とする請求項６に記載の閉鎖キャップ。
【請求項８】
前記クロージャー本体（１）の前記カバー部分（２）は、前記飲用ノズルを前記第１の位置に入れるためのくぼみ（５）を具備する、ことを特徴とする請求項１ないし７のいずれか１つに記載の閉鎖キャップ。
【請求項９】
前記飲用ノズル（４）は、ラッチングによって前記くぼみ（５）の正確な位置に固定されている、ことを特徴とする請求項８に記載の閉鎖キャップ。
【請求項１０】
前記クロージャー本体（１）の前記スカート部分（２）は、めねじ（１２）を有する部位を具備する、ことを特徴とする請求項１ないし９のいずれか１つに記載の閉鎖キャップ。
【請求項１１】
前記クロージャー本体（１）の前記スカート部分（２）は、内部に円筒状シールフェース（１１）を具備する、ことを特徴とする請求項１ないし１０のいずれか１つに記載の閉鎖キャップ。
【請求項１２】
前記クロージャー本体（１）の前記スカート部分（２）は、タンパーエビデンスロッキング部分（１３，１４）を具備する、ことを特徴とする請求項１ないし１１のいずれか１つに記載の閉鎖キャップ。
【請求項１３】
前記タンパーエビデンスシールは、弱化ゾーン（１３）を介して前記スカート部分（２）の上部分に一体化して作られているロッキングリング（１４）である、ことを特徴とする請求項１２に記載の閉鎖キャップ。
【請求項１４】
前記閉鎖キャップは、プラスチック材料、好ましくはポリプロピレンまたはポリエチレンの射出成形である、ことを特徴とする請求項１ないし１３のいずれか１つに記載の閉鎖キャップ。
【請求項１５】
薬液を入れるための容器であって、穴あけ可能な膜（１８）によって密封されている口部分（１６）を具備し、前記容器の前記口部分（１６）は請求項１ないし１４のいずれか１つに記載の閉鎖キャップによって閉じられている容器。
【請求項１６】
前記容器は、射出ブロー成形過程によって製造されている容器である、ことを特徴とする請求項１５に記載の容器。
【請求項１７】
前記容器はボトルである、ことを特徴とする請求項１５または１６に記載の容器。
【請求項１８】
前記容器の前記口部分（１６）は、外側において円筒状シールフェースを具備し、この円筒状シールフェースに対して、シールキャップ内の内方の円筒状シールフェース（１１）が密封状態で支えられている、ことを特徴とする請求項１５ないし１７のいずれか１つに記載の容器。
【発明の詳細な説明】
【技術分野】
【０００１】
本発明は、薬液、特に経腸栄養のための液体、を充填した容器のための閉鎖キャップに関連しており、容器は穴あけ可能な膜で密封されている口部分を有する。同様に本発明は、薬液、特に経腸栄養溶剤、を入れる容器にも関連しており、容器は穴あけ可能な膜で密封されている口部分を有し、容器の口部分は上記の種の閉鎖キャップによって閉じられている。
【背景技術】
【０００２】
経腸栄養のための栄養溶剤は、ボトルまたはバッグのような容器で利用可能である。経腸栄養溶剤を入れるための医療用容器は、無菌で充填されることは公知である。充填される容器に関して、容器の口部分は、アルミニウム箔またはプラスチックフィルムのような膜で密封されることも公知である。
【０００３】
一般的に、栄養溶剤容器から飲用するために、密封ホイルまたは密封フィルムに穴をあけるストローが用いられている。あるいは、密封ホイルまたは密封フィルムがプルオフされると、容器の内容物は飲用容器に注がれる。しかしながら、ストローで飲用するにはいくらか欠点がある。この方法においては、ストローで開けられる栄養溶剤容器は再度閉じられることができないので、間違った取り扱いによってこぼれてしまうリスクが生じる。また、十分な空気が容器に供給されないため、プラスチックボトルなどの折りたためない容器またはテトラパックとして知られる容器から飲用するのは容易でないことがある。特に、衰弱している人々、高齢者及び／または病人にとって、密封ホイルまたは密封フィルムをストローであけたり、ストローから飲んだりするのは困難である。
【０００４】
直立にすることのできる飲用ノズル（飲用口）を有するクロージャーシステムは、ＵＳ  Ａ  ５  ９６１  ０１０で知られている。しかしながらこのシステムは、密封ホイルまたは密封フィルムに穴をあける構成は有していない。また、クロージャーシステムによって閉じられている容器に空気を供給するいずれの手段も記載されていない。
【０００５】
ＥＰ  Ａ  １  １２５  ８５４には、貫通スパイキ状の、枢動可能な注入口を有する閉鎖キャップが記載されている。注入口が直立にされると、閉鎖キャップ内に設置された膜に穴があけられる。しかしながら、この公知の閉鎖キャップは、密封ホイルまたは密封フィルムによってすでに密封されている容器にねじ込まれることを意図していない。さらに、穴あけ可能な膜は閉鎖キャップの一部である。さらに、この公知の閉鎖キャップは容器に空気を供給する手段を持っていない。
【０００６】
ＦＲ  Ａ  ２  ７８９  ６５９で知られる閉鎖キャップは、スクリュー閉鎖キャップ状でなく、直立にされると密封ホイルまたは密封フィルムに穴をあける注入口を有する。このクロージャーの口も容器に空気を供給する手段も持たない。
【０００７】
ＵＳ  Ａ  ６  １６７  ７２８には、ホイルで密封またはフィルムで密封された飲用ボトルに用いられることが可能な注入口及びカッティング装置を有するクロージャートップが記載されている。欠点は、この製品は比較的複雑であり、費用がかかるということである。さらに、またしても空気を供給するための手段を有していない。
【０００８】
ＥＰ  Ａ  １  ３５３  ８５３には、ホイルで密封またはフィルムで密封された容器を開ける注入口及びカッティング手段を有する、液体または塊状材料のためのクロージャーが記載されている。この場合にも、空気を供給する開口部を有していない。
【０００９】
ＷＯ  ２００６／０５７５３６は、飲用口を持つ閉鎖キャップを有する、ホイル密封またはフィルム密封されたボトルについて説明している。またしても、不便であろう点は、容器に空気を提供する手段がないということである。これによって、特に、衰弱している人々にとって、取り扱いがより難しくなっている。
【先行技術文献】
【特許文献】
【００１０】
【特許文献１】ＵＳ  Ａ  ５  ９６１  ０１０
【特許文献２】ＥＰ  Ａ  １  １２５  ８５４
【特許文献３】ＦＲ  Ａ  ２  ７８９  ６５９
【特許文献４】ＵＳ  Ａ  ６  １６７  ７２８
【特許文献５】ＥＰ  Ａ  １  ３５３  ８５３
【特許文献６】ＷＯ  ２００６／０５７５３６
【発明の概要】
【００１１】
本発明の目的は、衰弱している人々にとっても取り扱いが容易であり、特に経腸栄養溶剤などの液体が充填されている容器に用いられ、さらに、閉じられることができる穴あけ可能な膜によって密封される、閉鎖キャップを提供することである。この目的は、請求項１に記載の特長を持つ本発明に従って成し遂げられる。複数の有利な具体例は、従属項の主題を形成する。
【００１２】
本発明のさらなる目的は、取り扱いが容易で、この種の閉鎖キャップを有する容器を提供することである。この目的は、請求項１５に記載の特長によって成し遂げられる。
【００１３】
本発明に従った閉鎖キャップは、閉鎖キャップ状のクロージャー本体及び飲用ノズルを有しており、飲用ノズルは、飲み口となる開口部を有し、この開口部は、飲用ノズルがクロージャー本体に支えられている第１の位置と、飲用ノズルがクロージャー本体から離れている第２の位置との間で枢動可能である。
【００１４】
さらに、閉鎖キャップは、容器の口部分を密封する膜に穴をあける手段を有しており、飲用ノズルが枢動されると膜に穴があけられるように飲用ノズルと協働するので、飲用ノズルにある開口部と容器内部との間につながりが作られる。
【００１５】
本発明に従った閉鎖キャップには、飲用ノズルにある飲み口となる開口部と同様に、クロージャー本体もまた、飲用するときに空気を容器に供給する開口部を有するという特徴がある。膜に穴をあける手段は、飲用ノズルが枢動されると、容器内部と飲用ノズルにある開口部との間のつながりだけでなく、容器内部と空気供給のための開口部との間のつながりも作られるように飲用ノズルと協働する。飲用ノズルを枢動することによってのみ両方のつながりは作られるので、取り扱いが容易である。
【００１６】
本発明は、飲用のため及び空気供給のために、膜は１箇所のみ穴をあけられるかまたは２箇所穴をあけられるか、という点で互いに異なる２つの代替実施形態を備えている。
【００１７】
本発明の特に好ましい実施形態において、膜が唯一回のみ穴をあけられる場合、膜に穴をあける手段は、管状胴体の形をとっており、その開口部は空気供給のための開口部である。管状胴体は、クロージャー本体に設置されており、飲用ノズルが枢動されると、膜が管状胴体によって穴をあけられるように飲用ノズルと枢動可能であるので、飲用のための開口部及び空気供給のための開口部両方と、容器内部との間につながりが作られる。
【００１８】
本発明の代替実施形態において、膜が２箇所の穴をあけられる場合、膜に穴をあける手段は、空気供給のための開口部がある弱化ゾーン(a weakened zone)を介して付加的な貫通スパイキを有しており、付加的な貫通スパイキは、飲用ノズルを枢動することによって貫通スパイキが膜に押し込まれるようにクロージャー本体のカバー部分に設置されている。この手段によって、飲用開口部と容器内部との間のつながりだけでなく、空気供給のための開口部と容器内部との間の付加的なつながりも作られる。弱化ゾーンの空気供給のための開口部は貫通スパイキの周りに配置されているような複数の穿孔によって形成されるのが好ましい。
【００１９】
本発明に従った閉鎖キャップの製造は、飲用ノズルがクロージャー本体の一部に一体化されることによって単純化されるのが好ましい。それゆえ、閉鎖キャップは単段形製造過程において費用をあまりかけずに製造される。この目的のため、クロージャー本体は、一体化して形成された飲用ノズルが第１と第２の位置との間で枢動可能なようにクロージャー本体の飲用ノズルの基底部分の部位が弱化されているのが好ましい。閉鎖キャップが偶然開いてしまわないようにするため、飲用ノズルは、タンパーエビデンスシール(a tamper-evidencing seal)によって、クロージャー本体の第１の位置に固定されているのが好ましい。タンパーエビデンスシールは、クロージャー本体をプルオフでき、飲用ノズルから突出する突起に係合しているタブであるのが好ましい。それゆえ、閉鎖キャップを開けるために、タブが単純にプルオフされ、飲用ノズルが直立にされる必要がある。しかしながら、飲用ノズルは、ノズルが直立にされたときに引き離される弱化ゾーンを介して、クロージャー本体の第１の位置につながれることも可能である。
【００２０】
本発明に従った閉鎖キャップの他の好ましい実施形態において、手段は、飲用ノズルが、第１の位置においてクロージャー本体のカバー部分にあるくぼみまたは凹部に設置されるように作られている。これによって、飲用ノズルは平坦な外観を崩すことがない。飲用ノズルは、ラッチングされることによってくぼみの正確な位置に固定されるのが好ましい。
【００２１】
スクリュークロージャーを採用している容器に閉鎖キャップをねじ込むために、クロージャー本体のスカート部分は、めねじを持つ部分を有するのが好ましい。しかしながら、閉鎖キャップは必ずしもスクリュー閉鎖キャップの形をとる必要はない。
【００２２】
穴あけ可能な膜は、閉鎖キャップの一部ではなく容器の一部であるので、容器に関連した閉鎖キャップを閉めるためには、一般的に閉鎖キャップと容器の口部分との間に挿入される従来のシールリッジ(a conventional sealing ridge)のみの利用に限られる。本発明に従った閉鎖キャップにおいては、密封は、代わりに閉鎖キャップのスカート部分内部の円筒状シールフェースによって行われる。閉鎖キャップがうまくはめられると、円筒状シールフェースは密封されるとともに容器の口部分外部に支えられる。
【００２３】
それゆえ、本発明に従った閉鎖キャップは、特にポリプロピレンまたはポリエチレンなどのプラスチック材料の射出成形が好ましく、容器は射出ブロー成形過程によって製造されているのが好ましい。この過程の特徴は、押し出しブロー成形の容器と比較して、射出ブロー成形過程による容器の製造は耐性をより強めるので、予圧がシールフェースに正確にかかる、ということである。これによって、シールフェースにおいて、より低い予圧が採用されるので、密封作用が損なわれることなく、衰弱した人々にとっても穏当な回転力が保たれる。射出ブロー成形の容器でのみ可能なこの種の密封は、いずれの付加的な密封要素やいずれの付加的な過程段階を必要としない。しかしながら、基本的に、容器は、押し出しブロー成形のボトルなど押し出しブロー成形によっても製造可能である。
【００２４】
しかしながら、基本的に、シールが閉鎖キャップと膜の上端部との間にあることも可能である。密封ホイルまたは密封フィルムに関連した、密封するための方法は、例えば、ＷＯ２００５０４９４４６、ＧＢ２３１１２８３、ＷＯ０３０１１６９９、ＵＳ２００３／００５７１７６、ＥＰ０１７９４９８及びＵＳ４，５３１，６４９で説明されている。これらの刊行物は、ねじ込みによって生じた適合する力によって、ねじ山にある留め輪に押し込まれるシールリップ、シールリブなどを提案している。この場合一般的に、密封要素は軟質ポリマー材料から成っており、ねじ込みネックに密封可能で、表面は比較的粗い。
【００２５】
特に好ましい実施形態において、クロージャー本体のスカート部分はタンパーエビデンスシールを有しており、このタンパーエビデンスシールは、弱化ゾーンを介してスカート部分の上部分に一体化して作られているロッキングリングであるのが好ましい。ロッキングリングがクロージャー本体から引き離されると、閉鎖キャップは容器から取り外される。
【００２６】
本発明の２つの実施形態は以下の図面を参照して詳しく説明される。
【図面の簡単な説明】
【００２７】
【図１】飲用ノズルが直立にされる前の、本発明に従った閉鎖キャップの第１の実施形態の斜視図である。
【図２】飲用ノズルが直立にされた後の、図１に示されている本発明に従った閉鎖キャップの斜視図である。
【図３】図１を下から見た、閉鎖キャップの斜視図である。
【図４】本発明に従った閉鎖キャップを側面から見た図である。
【図５】図４の閉鎖キャップにあるＶ−Ｖ線の縦断面図である。
【図６】図５の閉鎖キャップにあるＶＩ−ＶＩ線の縦断面図である。
【図７】本発明に従った閉鎖キャップの第２の実施形態の断面図である。
【図８】閉鎖キャップがない状態で、容器を側面から見た図である。
【発明を実施するための形態】
【００２８】
以下では、図１ないし６を参照して、スクリュー閉鎖キャップ状であり、スクリュークロージャーを採用しているボトルにねじ込まれる、本発明に従った閉鎖キャップの好ましい実施形態が説明されている。スクリュークロージャーを採用しているボトルは図８に示されている。
【００２９】
閉鎖キャップは、ポリプロピレンまたはポリエチレンから作られているプラスチック材料の射出成形である。閉鎖キャップは、カバー部分２及び実質上円筒状スカート部分を持つ閉鎖キャップ形本体１を有する。クロージャー本体１には飲用ノズル４が一体化して作られており、飲用ノズル４は、飲用ノズルがクロージャー本体１に支えられている第１の位置（図１）から、飲用ノズルがクロージャー本体から離れている第２の位置（図２）へと枢動可能である。飲用ノズル４は、クロージャー本体上で９０度枢動可能である。
【００３０】
クロージャー本体１のカバー部分２は、中心側面部分５ａと、互いに対向して位置している２つの外方に延在する側面部分５ｂ，５ｃと、床部分５ｄとを持つくぼみ５を有する。飲用ノズル４は、くぼみ５の床部分５ｄに一体化して作られている。
【００３１】
飲用ノズル４は、上端部から飲用するための開口部４ａと、くぼみ５の床部分５ｂにある開口部４ｂとを有する管状胴体である。飲用ノズルは、口がノズルに容易にフィットするように、断面図において楕円形である。くぼみ５の大きさは、飲用ノズル４の大きさに実質上対応するので、飲用ノズルを上向き方向または横向き方向に引き出すことなく、飲用ノズルはくぼみ５内に枢動可能となる。
【００３２】
ワンピースの閉鎖キャップは、飲用ノズルが直立した状態の射出成形である。直立した飲用ノズル４は、前記飲用ノズルがくぼみ内に納まるように、射出成形の後直ちに９０度下に折り曲げられる。このことが可能にするのは、飲用ノズルの基底部分４ｃの部位における材料の弱化(weakening)であり、飲用ノズルの基底を囲む弱化ゾーン６を作る。飲用ノズルが枢動されているとき、クロージャー本体のカバー部分は、くぼみ５に隣接する部位を折り曲げられ、カバー部分の部位に対向して位置する部位は引き伸ばされる。材料が適切な厚さであり、その特質も適切であれば、飲用ノズルが下に折り曲げられるとき、材料のこの変形は自然に起こる。
【００３３】
くぼみ５の対向する側面５ｂ及び５ｃ内には、くぼみ内で飲用ノズル４を固定するための２つの対向する突起７が一体化して作られている。飲用ノズル４は、閉鎖キャップの側面にあるタンパーエビデンスシール８によって、決まった場所に付加的に固定されている。
【００３４】
タンパーエビデンシングシール８は、弱化ゾーン９を介してクロージャー本体１のスカート部分３上部の２つの側面に一体化して作られている、プラスチックのタブである。プルオフタブ８は、くぼみ５の一端部にある開口部１０を部分的にふさぐ。飲用ノズル４は、プルオフタブ８の下方に、プルオフタブ８の下で係合する突起２５を有する。
【００３５】
飲用ノズル４を直立にするために、弱化ゾーン９が引き離されたとき、プルオフタブ８がプルオフされる。飲用ノズル４は、相互係合をラッチングすることによってくぼみ５に固定されており、その後直立にされ、完全に直立すると、クロージャー本体にあるノズルの基底部分の部位の材料は変形する。
【００３６】
クロージャー本体１のスカート部分３は、くぼみ５の床部分５ｄの下方内部に円筒状シールフェース１１を有しており、閉鎖キャップは、容器の口部分の外側にある類似の円筒状シールフェースを用いてこの場所を密封する。このシールに関しては、第２の実施形態を参照して以下で詳しく説明される。
【００３７】
円筒状シールフェース１１の下方、カバー部分３内部には、容器の口部分にある外ねじのピッチに一致するピッチのめねじ１２がある。
【００３８】
めねじ１２の下方には、円状に延在する弱化ゾーン１３を介して、スカート部分３の上部に一体化して作られているロッキングリング１４がある。環状ロッキングリングは、容器の口部分に閉鎖キャップを固定する、タンパーエビデンスシール１３、１４を形成する。これに関しても第２の実施形態を参照して以下で詳しく説明される。
【００３９】
図８は、容器、すなわち無菌で経腸栄養溶液を充填される射出ブロー成形過程によって作られているボトルを示している。ボトル（プリフォーム）は、２段階動作で作られ、射出成形の口部分１６を持つ吹込成形本体１５を有する。容器が充填された後、外ねじ１７を有する口部分１６は、アルミニウム箔のような穴あけ可能な膜１８によって密封される。アルミニウム箔の目的は、実質的に気密（つまりバリヤ）、及び無菌であるシールで容器を密封することである。外ねじ１７の上方外方において、口部分１６はその外方に円筒状シールフェース１９を有しており、この円筒状シールフェース１９は、閉鎖キャップがねじ込まれると、密封状態で、クロージャー本体１のスカート部分３にある円筒状シールフェース１１を圧迫するようになる。
【００４０】
射出ブロー成形過程の結果として、口部分の外部シールフェース１９の部位に合う許容値は非常に小さくなり、例えば、値は＋／−０．１ｍｍまで下がるので、低いが十分な予圧がシールフェース１１，１９に保たれる。
【００４１】
閉鎖キャップの上側及びボトルの底部は、閉鎖された複数のボトルが、お互いの上部で積み重なることができるように形成されているので、よりよい密度で保管及び輸送される。
【００４２】
本発明に従った閉鎖キャップが働く原理は、以下で詳しく説明される。
【００４３】
閉鎖キャップの飲用ノズル４にある基底部分４ｃの部位には、管状胴体２０が一体化して作られており、この管状胴体２０は、一方がクロージャー本体１のカバー部分２を越えて上方に延在し、他方がくぼみ５の床部分５ｄを越えて下方に延在する。管状胴体２０は、上端部には空気供給のための開口部２０ａを有し、下端部にはカッティングエッジまたはスパイキ２０ｂを有する。管状胴体には、管状胴体の全長に延在する２つの側面リブ２０ｃ、２０ｄもある。２つのリブ２０ｃ、２０ｄは、開け口を破る付加的な補助となる。
【００４４】
管状胴体２０の長さは、飲用ノズル４が直立にされ、閉鎖キャップが容器にねじ込まれたとき、尖った端部２０ｂが容器の膜１９に穴をあけるようなサイズにされている。
【００４５】
経腸栄養溶剤を充填されている容器は、一般的に閉鎖キャップが押し込まれた状態、つまり飲用ノズル４がくぼみ５内に位置している状態で運ばれる。栄養溶剤を抽出するために、プルオフタブ８はプルオフされ、飲用ノズル４は直立にされる。飲用ノズルが直立にされると、飲用ノズルに一体化して作られている管状胴体２０は、容器の口部分１６を密封している膜１８に穴をあける。管状胴体は、尖った端部２０ｂ及び２つの側面リブを用いて膜に十分な幅の切り口をあけるので、飲用ノズル及び管状胴体は容器内部につながる。容器には十分な空気が供給されるので、吸気供給のための開口部２０ａを通り管状胴体２０を介して容器内部へ空気は流れ、容器は通常自然と空になる。しかしながら、液体に粘着性がある場合は、空にするために、飲用ノズル（飲用スパウト）を吸うこと及び／または容器を押すことが必要である。
【００４６】
基本的に、タンパーエビデンスシール１３、１４を一度開放すれば、本発明に従った閉鎖キャップをはずすことも可能であり、穴あけ可能な膜はさらされる。それゆえ、栄養溶剤をストローで飲めるようにするまたはグラスに移せるようにするために、膜を除去することまたは膜に穴をあけることが可能である。
【００４７】
本発明の代替の実施形態は、図７を参照して以下で説明されている。代替の実施形態は、図１ないし６を参照して説明された実施形態と、空気を供給する方法のみ異なる。その他の点で、２つの閉鎖キャップは同じ構造である。このため、互いに対応する部分は同じ参照数字が与えられている。
【００４８】
代替の実施形態は、膜を開けるための、膜に穴をあける管状胴体２０を有していない。この実施形態において、飲用ノズル４自体の底部部分が、カッティングエッジ２１の形をとり、ノズルが直立にされたとき、このカッティングエッジ２１は容器にある膜１８に穴をあけ、液体を得るため容器内部へのつながりを作る。
【００４９】
代替の実施形態において、容器への空気の供給は、付加的な空気供給開口部を介して行われる。この目的のため、閉鎖キャップがねじ込まれたとき、穴あけ可能な膜の上方に直接位置している貫通スパイキ２２の先端２２ａは、クロージャー本体１のカバー部分２にあるくぼみ５の床部分５ｄに一体化して作られる。
【００５０】
飲用ノズル４がくぼみ５に位置しているとき、貫通スパイキ２２の上端部２２ｂは、飲用ノズルの下面にある。初めに、飲用ノズルは水平な位置からわずかに下方へ押され、それによって、貫通スパイキ２２は同じように下方へ押され、穴あけ可能な膜１８は穴をあけられる。その後、飲用ノズル４は直立にされ、それによって、尖った端部２１は膜１８の異なった位置に穴をあける。
【００５１】
貫通スパイキ２２をクロージャー本体１のカバー部分２につなぐ弱化ゾーン２３は、空気供給開口部の機能を果たす複数の穿孔を有するグリッド構造(a grid-like structure)であるので、経腸栄養溶剤が飲用ノズルを通して容器内部から外へ流れ出ることが可能であると同時に、容器内部へと空気が流れることが可能である。
【００５２】
図７は、閉鎖キャップと同様に、図８に示されている容器の口部分も示している。図７を見ると、クロージャー本体と容器とにそれぞれ属している２つのシールフェース１１，１９とが互いに圧迫している状態がわかる。固定環１４は、外ねじ１７の下方にある容器１６の口部分に円状に延在する突起２６の下に係合していることもわかる。
【図１】
2009545493.tif 000003
【図２】
2009545493.tif 000004
【図３】
2009545493.tif 000005
【図４】
2009545493.tif 000006
【図５】
2009545493.tif 000007
【図６】
2009545493.tif 000008
【図７】
2009545493.tif 000009
【図８】
2009545493.tif 000010
【国際調査報告】
2009545493.tif 000011
2009545493.tif 000012
2009545493.tif 000013
2009545493.tif 000014
2009545493.tif 000015
2009545493.tif 000016